(57)【特許請求の範囲】
【請求項１】
移動局との間で、第１周波数キャリア及び第２周波数キャリアを用いてキャリアアグリゲーション通信を行うことができるように構成されている無線基地局であって、
前記移動局から、前記第２周波数キャリアについての測定報告を受信するように構成されている受信部と、
前記測定報告において、前記第２周波数キャリアのベストセルとして通知されているセルが、前記無線基地局に属していないと判定された場合、該通知されているセルが属している隣接する無線基地局に対して、該通知されているセルを特定する情報を含む所定通知を行うように構成されている送信部とを具備することを特徴とする無線基地局。
【請求項２】
移動局との間で、第１周波数キャリア及び第２周波数キャリアを用いてキャリアアグリゲーション通信を行うことができるように構成されている無線基地局であって、
前記移動局から、前記第２周波数キャリアについての測定報告を受信するように構成されている受信部と、
前記第２周波数キャリアのセルにおいて、前記移動局に対して、無線リソースを割り当てるように構成されている無線リソース割り当て部とを具備しており、
前記無線リソース割り当て部は、前記測定報告において、前記第２周波数キャリアのベストセルとして通知されているセルが、前記無線基地局に属していないと判定された場合、該通知されているセルに隣接する該第２周波数キャリアのセルにおいて、干渉回避処理を施した上で、前記移動局に対して、無線リソースを割り当てるように構成されていることを特徴とする無線基地局。
【請求項３】
前記無線リソース割り当て部は、前記干渉回避処理として、時間方向の無線リソースの割り当てを減らすように構成されていることを特徴とする請求項２に記載の無線基地局。
【請求項４】
前記無線リソース割り当て部は、前記干渉回避処理として、周波数方向の無線リソースの割り当てを減らすように構成されていることを特徴とする請求項２に記載の無線基地局。
【請求項５】
前記無線リソース割り当て部は、前記無線基地局の識別情報或いは前記第１周波数キャリアのセルの識別情報に基づいて、前記無線リソースを割り当てるように構成されていることを特徴とする請求項２に記載の無線基地局。
【請求項６】
前記移動局に対するハンドオーバ処理を行うように構成されているハンドオーバ制御部を具備しており、
前記ハンドオーバ制御部は、前記第２周波数キャリアにおける測定報告に基づくことなく、前記第１周波数キャリアにおける測定報告に基づいて、前記移動局に対するハンドオーバ処理を行うように構成されていることを特徴とする請求項１乃至５のいずれか一項に記載の無線基地局。
【発明の詳細な説明】
【技術分野】
【０００１】
本発明は、無線基地局に関する。
【背景技術】
【０００２】
図７に示すように、ＬＴＥ（Ｌｏｎｇ  Ｔｅｒｍ  Ｅｖｏｌｕｔｉｏｎ）方式の移動通信システムでは、周波数キャリアＦ１のセル（例えば、マクロセル）内に周波数キャリアＦ２のセル（例えば、ピコセル）が地理的に重複するように配置することが検討されている。
【０００３】
かかる移動通信システムにおいて、無線基地局ｅＮＢ＃ａは、移動局ＵＥとの間で、周波数キャリアＦ１及びＦ２を用いて、ＣＡ（Ｃａｒｒｉｅｒ  Ａｇｇｒｅｇａｔｉｏｎ）通信を行い、無線基地局ｅＮＢ＃ｂは、移動局ＵＥとの間で、周波数キャリアＦ１及びＦ２を用いて、ＣＡ通信を行うことができるように構成されている。
【先行技術文献】
【非特許文献】
【０００４】
【非特許文献１】３ＧＰＰ  ３６.３００  Ａｎｎｅｘ  Ｊ１
【発明の概要】
【発明が解決しようとする課題】
【０００５】
しかしながら、従来のＬＴＥ方式の移動通信システムでは、周波数キャリアＦ１におけるマクロセルの境界（図７におけるＣｅｌｌ  Ｂｏｒｄｅｒ＃１）と周波数キャリアＦ２におけるピコセルの境界（図７におけるＣｅｌｌ  Ｂｏｒｄｅｒ＃２）は一致しない。
【０００６】
すなわち、上述のマクロセルの境界及び上述のピコセルの境界を一致させようとする場合、厳密な送信電力調整や無線基地局の設置場所の選定を行う必要があり、運用の煩雑さやコストが増大するため、現実的には、上述マクロセルの境界及び上述のピコセルの境界は一致しない。
【０００７】
ここで、上述のセルの境界は、一般的に、無線基地局ｅＮＢの送信電力が同じである場合には、２つの無線基地局ｅＮＢ間のちょうど真ん中辺りとなる。より具体的には、１つの無線基地局ｅＮＢと移動局ＵＥとの間のパスロスが、もう１つの無線基地局ｅＮＢと移動局ＵＥとの間のパスロスと同じになる場所が、上述のセルの境界となる。
【０００８】
図７の例において、セルＡ及びセルＢが地理的に重複していて、かつ、セルＡのエリア内である領域１は、無線基地局ｅＮＢ＃ａによって管理されている領域ではなく、無線基地局ｅＮＢ＃ｂによって管理されている領域であるため、無線基地局ｅＮＢ＃ａは、かかる領域１を、ＣＡ通信におけるＳｃｅｌｌとして使用することができない。
【０００９】
ここで、セルＡのエリア内であるとは、上述のピコセルの境界よりもセルＡ側の領域である。
【００１０】
また、無線基地局ｅＮＢ＃ｂも、セルＡからの干渉を考慮すると、かかる領域１を、ＣＡ通信におけるＳｃｅｌｌとして使用することができない。
【００１１】
そこで、本発明は、上述の課題に鑑みてなされたものであり、複数の周波数キャリアのセルが地理的に重畳して配置されている移動通信システムにおいて、高いモビリティ性能を維持しつつ、高速化に対応するためのＣＡ通信を行うことができる無線基地局を提供することを目的とする。
【課題を解決するための手段】
【００１２】
本発明の第１の特徴は、移動局との間で、第１周波数キャリア及び第２周波数キャリアを用いてキャリアアグリゲーション通信を行うことができるように構成されている無線基地局であって、前記移動局から、前記第２周波数キャリアについての測定報告を受信するように構成されている受信部と、前記測定報告において、前記第２周波数キャリアのベストセルとして通知されているセルが、前記無線基地局に属していないと判定された場合、隣接する無線基地局に対して、所定通知を行うように構成されている送信部とを具備することを要旨とする。
【００１３】
本発明の第２の特徴は、移動局との間で、第１周波数キャリア及び第２周波数キャリアを用いてキャリアアグリゲーション通信を行うことができるように構成されている無線基地局であって、前記移動局から、前記第２周波数キャリアについての測定報告を受信するように構成されている受信部と、前記第２周波数キャリアのセルにおいて、前記移動局に対して、無線リソースを割り当てるように構成されている無線リソース割り当て部とを具備しており、前記無線リソース割り当て部は、前記測定報告において、前記第２周波数キャリアのベストセルとして通知されているセルが、前記無線基地局に属していないと判定された場合、該通知されているセルに隣接する該第２周波数キャリアのセルにおいて、干渉回避処理を施した上で、前記移動局に対して、無線リソースを割り当てるように構成されていることを要旨とする。
【発明の効果】
【００１４】
以上説明したように、本発明によれば、数の周波数キャリアのセルが地理的に重畳して配置されている移動通信システムにおいて、高いモビリティ性能を維持しつつ、高速化に対応するためのＣＡ通信を行うことができる無線基地局を提供することができる。
【図面の簡単な説明】
【００１５】
【図１】本発明の第１の実施形態に係る移動通信システムの全体構成図である。
【図２】本発明の第１の実施形態に係る移動通信システムの全体構成図である。
【図３】本発明の第１の実施形態に係る無線基地局の機能ブロック図である。
【図４】本発明の第１の実施形態に係る無線基地局によって用いられる干渉回避処理の一例を示す図である。
【図５】本発明の第１の実施形態に係る無線基地局によって用いられる干渉回避処理の一例を示す図である。
【図６】本発明の第１の実施形態に係る移動通信システムの動作を示すフォローチャートである。
【図７】従来の移動通信システムの問題点を説明するための図である。
【発明を実施するための形態】
【００１６】
（本発明の第１の実施形態に係る移動通信システム）
図１乃至図６を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００１７】
また、本実施形態に係る移動通信システムは、「ｅＩＣＩＣ（Ｅｎｈａｎｃｅｄ  Ｉｎｔｅｒ  Ｃｅｌｌ  Ｉｎｔｅｒｆｅｒｅｎｃｅ  Ｃｏｏｒｄｉｎａｔｉｏｎ）」を適用することができるように構成されている。
【００１８】
ここで、「ｅＩＣＩＣ」は、セル間の干渉を低減する制御である。以下、セル間の干渉を低減するための処理を「ｅＩＣＩＣ処理」と記載する。或いは、「ｅＩＣＩＣ」の代わりに、別のセル間の干渉コーディネーションが行われてもよい。
【００１９】
図１に示すように、本実施形態に係る移動通信システムでは、周波数キャリアＦ１のセルとして、セルａ１、セルａ２、セルａ３及びセルｂ１が配置されており、周波数キャリアＦ２のセルとして、セルＡ１、セルＡ２、セルＡ３、セルＡ４、セルＡ５、セルＢ１及びセルＢ２が配置されている。
【００２０】
ここで、セルａ１、セルａ２、セルａ３、セルＡ１、セルＡ２、セルＡ３、セルＡ４及びセルＡ５は、無線基地局ｅＮＢ＃ａに属しており、セルｂ１、セルＢ１及びセルＢ２は、無線基地局ｅＮＢに属しているものとする。
【００２１】
例えば、セルａ１、セルａ２、セルａ３及びセルｂ１は、マクロセルであり、セルＡ１、セルＡ２、セルＡ３、セルＡ４、セルＡ５、セルＢ１及びセルＢ２は、ピコセルやフェムトセルやＣＳＧ（Ｃｌｏｓｅｄ  Ｓｕｂｓｃｒｉｂｅｒ  Ｇｒｏｕｐ）セルやその他の小セル等であってもよい。
【００２２】
なお、図１の例において、周波数キャリアＦ１のセルａ１、セルａ２及びセルａ３が属する無線基地局と、周波数キャリアＦ２のセルＡ１、セルＡ２、セルＡ３、セルＡ４及びセルＡ５が属する無線基地局が異なっていてもよい。
【００２３】
また、図１の例において、周波数キャリアＦ１のセルｂ１が属する無線基地局と、周波数キャリアＦ２のセルＢ１及びセルＢ２が属する無線基地局が異なっていてもよい。
【００２４】
かかる場合、本実施形態に係る移動通信システムは、異なる無線基地局ｅＮＢを跨ぐＣＡ通信（すなわち、Ｉｎｔｅｒ-ｅＮＢ  ＣＡ通信）を行うことができるように構成されているものとする。
【００２５】
この場合、例えば、図２に示すように、周波数キャリアＦ２のセルＡ１、セルＡ２、セルＡ３、セルＡ４及びセルＡ５が属する無線基地局ｅＮＢを介して伝送されるユーザデータは、周波数キャリアＦ１のセルａ１、セルａ２及びセルａ３が属する無線基地局ｅＮＢ＃ａを経由する構成が取られてもよい。
【００２６】
すなわち、図２に示すように、コアネットワークから見た場合に、周波数キャリアＦ１のセルａ１、セルａ２及びセルａ３が属する無線基地局ｅＮＢ＃ａが、ユーザデータを終端し、一部のユーザデータが、周波数キャリアＦ１を用いて直接移動局ＵＥに伝送され、残りのユーザデータが、周波数キャリアＦ２のセルＡ１、セルＡ２、セルＡ３、セルＡ４及びセルＡ５が属する無線基地局ｅＮＢを介して周波数キャリアＦ２を用いて移動局ＵＥに伝送されるという構成が取られてもよい。
【００２７】
無線基地局ｅＮＢ＃ａ及び無線基地局ｅＮＢ＃ｂの構成は、基本的に同一であるため、以下、無線基地局ｅＮＢの構成として、両者の構成について説明する。
【００２８】
図２に示すように、無線基地局ｅＮＢは、受信部１１と、無線リソース割り当て部１２と、ＣＡ制御部１３と、ハンドオーバ制御部１４と、送信部１５とを具備している。
【００２９】
受信部１１は、移動局ＵＥや隣接する無線基地局ｅＮＢから各種信号を受信するように構成されている。
【００３０】
例えば、受信部１１は、移動局ＵＥから、周波数キャリアＦ１や周波数キャリアＦ２についての「Ｍｅａｓｕｒｅｍｅｎｔ  ｒｅｐｏｒｔ」を受信するように構成されている。
【００３１】
無線リソース割り当て部１２は、無線基地局ｅＮＢ配下の周波数キャリアＦ１のセルや周波数キャリアＦ２のセルにおいて、移動局ＵＥに対して、無線リソースを割り当てるように構成されている。
【００３２】
ＣＡ制御部１３は、移動局ＵＥとの間で、ＣＡ通信を行うための制御を行うように構成されている。
【００３３】
ここで、ＣＡ制御部１３は、無線基地局ｅＮＢ配下の周波数キャリアＦ１や周波数キャリアＦ２を用いて、移動局ＵＥとの間で、ＣＡ通信を行うための制御を行うように構成されている。
【００３４】
なお、Ｉｎｔｅｒ-ｅＮＢ  ＣＡ通信が可能である場合、ＣＡ制御部１３は、周波数キャリアＦ１が無線基地局ｅＮＢにおいて用いられており、周波数キャリアＦ２が無線基地局ｅＮＢとは異なる無線基地局ｅＮＢにおいて用いられている場合であっても、周波数キャリアＦ１や周波数キャリアＦ２を用いて、移動局ＵＥとの間で、ＣＡ通信を行うための制御を行うことができるように構成されている。
【００３５】
ハンドオーバ制御部１４は、移動局ＵＥに対するハンドオーバ処理を行うように構成されている。
【００３６】
例えば、ハンドオーバ制御部１４は、受信部１１によって受信された「Ｍｅａｓｕｒｅｍｅｎｔ  ｒｅｐｏｒｔ」において、周波数キャリアＦ２の「Ｂｅｓｔ  ｃｅｌｌ」として通知されているセルに基づいて、移動局ＵＥのハンドオーバ先セルを決定するように構成されていてもよい。
【００３７】
或いは、ハンドオーバ制御部１４は、受信部１１によって受信された「Ｍｅａｓｕｒｅｍｅｎｔ  ｒｅｐｏｒｔ」において、周波数キャリアＦ１の「Ｂｅｓｔ  ｃｅｌｌ」として通知されているセルに基づいて、移動局ＵＥのハンドオーバ先セルを決定するように構成されていてもよい。
【００３８】
なお、ハンドオーバ制御部１４は、移動局ＵＥのハンドオーバ先セルを決定する際に、ＴＴＴ（Ｔｉｍｅ  Ｔｏ  Ｔｒｉｇｇｅｒ）やヒステリシス（Ｈｙｓｔｅｒｅｓｉｓ）等を用いるように構成されていてもよい。
【００３９】
送信部１５は、移動局ＵＥや隣接する無線基地局ｅＮＢに対して、各種信号を送信するように構成されている。
【００４０】
例えば、送信部１５は、移動局ＵＥに対して、無線リソース割り当て部１２による割り当て結果を通知するためのスケジューリング信号を送信するように構成されている。
【００４１】
また、無線基地局ｅＮＢ＃ａの送信部１５は、周波数キャリアＦ２についての「Ｍｅａｓｕｒｅｍｅｎｔ  ｒｅｐｏｒｔ」において周波数キャリアＦ２において「Ｂｅｓｔ  ｃｅｌｌ」として通知されているセル（例えば、セルＢ１）が、無線基地局ｅＮＢ＃ａに属していないと判定された場合、隣接する無線基地局ｅＮＢ＃ｂに対して、所定通知を行うように構成されていてもよい。
【００４２】
また、無線基地局ｅＮＢ＃ａの無線リソース割り当て部１２は、周波数キャリアＦ２についての「Ｍｅａｓｕｒｅｍｅｎｔ  ｒｅｐｏｒｔ」において周波数キャリアＦ２において「Ｂｅｓｔ  ｃｅｌｌ」として通知されているセル（例えば、セルＢ１）が、無線基地局ｅＮＢ＃ａに属していないと判定された場合、周波数キャリアＦ２において「Ｂｅｓｔ  ｃｅｌｌ」として通知されているセルに隣接する周波数キャリアＦ２のセル（例えば、セルＡ５）において、ｅＩＣＩＣ処理を施した上で、移動局ＵＥに対して、無線リソースを割り当てるように構成されていてもよい。
【００４３】
ここで、無線基地局ｅＮＢ＃ａの無線リソース割り当て部１２は、ＳＯＮ（Ｓｅｌｆ-Ｏｒｇａｎｉｚｉｎｇ  Ｎｅｔｗｏｒｋ）機能を用いて、周波数キャリアＦ２についての「Ｍｅａｓｕｒｅｍｅｎｔ  ｒｅｐｏｒｔ」において周波数キャリアＦ２において「Ｂｅｓｔ  ｃｅｌｌ」として通知されているセル（例えば、セルＢ１）に基づいて、移動局ＵＥが周波数キャリアＦ１のセル群からなるエリアの端に位置することを自動的に認識して、ｅＩＣＩＣ処理を実行するように構成されていてもよい。
【００４４】
例えば、無線基地局ｅＮＢ＃ａの無線リソース割り当て部１２は、周波数キャリアＦ２において「Ｂｅｓｔ  ｃｅｌｌ」として通知されているセルに隣接する周波数キャリアＦ２のセル（例えば、セルＡ５）において、ｅＩＣＩＣ処理として、図４に示すように、周波数方向の無線リソースの割り当てを減らすように構成されていてもよい。
【００４５】
ここで、「周波数方向の無線リソースの割り当てを減らす」とは、「割り当て可能な周波数方向の無線リソースを複数のグループに分割し、セル毎に割り当てる無線リソースを前記複数のグループの中から選択する」という動作であってもよい。
【００４６】
隣接セル間で、異なるグループを選択することにより、お互いの干渉が回避されるため、図７に示す領域１のような場所においても、ＣＡ通信を行うことが可能となる。
【００４７】
より具体的には、図７に示す領域１においては、移動局ＵＥは、周波数キャリアＦ２においてセル＃Ａからの干渉を受けることなく、周波数キャリアＦ１において無線基地局ｅＮＢ＃ｂと通信を行い、周波数キャリアＦ２においてセル＃Ｂと通信を行うＣＡ通信が可能となる。
【００４８】
或いは、無線基地局ｅＮＢ＃ａの無線リソース割り当て部１２は、周波数キャリアＦ２において「Ｂｅｓｔ  ｃｅｌｌ」として通知されているセルに隣接する周波数キャリアＦ２のセル（例えば、セルＡ５）において、ｅＩＣＩＣ処理として、図５に示すように、時間方向の無線リソースの割り当てを減らすように構成されていてもよい。
【００４９】
ここで、「時間方向の無線リソースの割り当てを減らす」とは、「割り当て可能な時間方向の無線リソースを複数のグループに分割し、セル毎に割り当てる無線リソースを前記複数のグループの中から選択する」という動作であってもよい。
【００５０】
隣接セル間で、異なるグループを選択することにより、お互いの干渉が回避されるため、図７に示す領域１のような場所においても、ＣＡ通信を行うことが可能となる。より具体的には、図７に示す領域１においては、移動局ＵＥは、周波数キャリアＦ２においてセル＃Ａからの干渉を受けることなく、周波数キャリアＦ１において無線基地局ｅＮＢ＃ｂと通信を行い、周波数キャリアＦ２においてセル＃Ｂと通信を行うＣＡ通信が可能となる。
【００５１】
また、無線基地局ｅＮＢ＃ｂの無線リソース割り当て部１２は、無線基地局ｅＮＢ＃ａから、上述の所定通知を受信した場合、上述の周波数キャリアＦ２において「Ｂｅｓｔ  ｃｅｌｌ」として通知されているセル（例えば、セルＢ１）において、ｅＩＣＩＣ処理を施した上で、移動局ＵＥに対して、無線リソースを割り当てるように構成されていてもよい。
【００５２】
なお、かかる所定通知には、上述の周波数キャリアＦ２の「Ｂｅｓｔ  ｃｅｌｌ」として通知されているセル（例えば、セルＢ１）のＩＤが含まれてもよい。
【００５３】
ここで、無線基地局ｅＮＢ＃ａ或いは無線基地局ｅＮＢ＃ｂの無線リソース割り当て部１２は、無線基地局ｅＮＢ＃ａの識別情報或いは周波数キャリアＦ１のセルの識別情報（例えば、セルａ３）に基づいて、上述の無線リソースを割り当てるように構成されていてもよい。
【００５４】
より具体的には、無線基地局ｅＮＢ＃ａの識別情報が偶数である場合に、図４におけるＦ２Ａの無線リソースが割り当てられ、無線基地局ｅＮＢ＃ｂの識別情報が奇数である場合に、図４におけるＦ２Ｂの無線リソースが割り当てられるといった制御が行われてもよい。
【００５５】
また、ハンドオーバ制御部１４は、周波数キャリアＦ２における「Ｍｅａｓｕｒｅｍｅｎｔ  ｒｅｐｏｒｔ」に基づくことなく、周波数キャリアＦ２における「Ｍｅａｓｕｒｅｍｅｎｔ  ｒｅｐｏｒｔ」に基づいて、移動局ＵＥに対するハンドオーバ処理を行うように構成されていてもよい。
【００５６】
すなわち、周波数キャリアＦ１において、移動局ＵＥに対するハンドオーバ処理が行われない場合には、移動局ＵＥが、周波数キャリアＦ２における「Ｂｅｓｔ  ｃｅｌｌ」に在圏していない場合であっても、周波数キャリアＦ２において、移動局ＵＥに対するハンドオーバ処理が行われないように構成されている。
【００５７】
以下、図６を参照して、本実施形態に係る移動通信システムの動作、具体的には、本実施形態に係る無線基地局ｅＮＢ＃ａの動作について説明する。
【００５８】
図６に示すように、ステップＳ１０１において、初期状態では、無線基地局ｅＮＢ＃ａは、周波数キャリアＦ２のセル（例えば、セルＡ１〜セルＡ５）において、ｅＩＣＩＣ処理を施すことなく、移動局ＵＥに対して、無線リソースを割り当てる。
【００５９】
無線基地局ｅＮＢ＃ａは、ステップ１０２において、移動局ＵＥから、周波数キャリアＦ２における「Ｍｅａｓｕｒｅｍｅｎｔ  ｒｅｐｏｒｔ」を受信すると、ステップＳ１０３において、かかる「Ｍｅａｓｕｒｅｍｅｎｔ  ｒｅｐｏｒｔ」において周波数キャリアＦ２において「Ｂｅｓｔ  ｃｅｌｌ」として通知されているセルが、無線基地局ｅＮＢ＃ａに属しているか否かについて判定する。
【００６０】
「ＹＥＳ」の場合、本動作は、終了し、「ＮＯ」の場合、本動作は、ステップＳ１０４に進む。
【００６１】
ステップＳ１０４において、無線基地局ｅＮＢ＃ａは、上述の「Ｍｅａｓｕｒｅｍｅｎｔ  ｒｅｐｏｒｔ」において周波数キャリアＦ２において「Ｂｅｓｔ  ｃｅｌｌ」として通知されているセル（例えば、セルＢ１）が、無線基地局ｅＮＢ＃ａに属していないが、隣接する無線基地局ｅＮＢ＃ｂに属していると自動的に認識し、かかるセルに隣接する無線基地局ｅＮＢ＃ａ配下の周波数キャリアＦ２のセル（例えば、セルＡ５）において、ｅＩＣＩＣ処理を施した上で、移動局ＵＥに対して、無線リソースを割り当てる。
【００６２】
ここで、無線基地局ｅＮＢ＃ａは、ＳＯＮ機能を用いて、上述の認識を行うように構成されていてもよい。
【００６３】
ステップＳ１０５において、無線基地局ｅＮＢ＃ａは、上述の「Ｍｅａｓｕｒｅｍｅｎｔ  ｒｅｐｏｒｔ」において周波数キャリアＦ２において「Ｂｅｓｔ  ｃｅｌｌ」として通知されているセル（例えば、セルＢ１）に対して、移動局ＵＥをハンドオーバさせない。
【００６４】
本実施形態に係る移動通信システムによれば、無線基地局ｅＮＢ＃ａが、移動局ＵＥとの間で、周波数キャリアＦ１及び周波数キャリアＦ２を用いてＣＡ通信を行っている際に、移動局ＵＥから受信した「Ｍｅａｓｕｒｅｍｅｎｔ  ｒｅｐｏｒｔ」において周波数キャリアＦ２において「Ｂｅｓｔ  ｃｅｌｌ」として通知されているセルが、無線基地局ｅＮＢ＃ａに属していないと判断した場合には、移動局ＵＥが周波数キャリアＦ１のセル群からなるエリアの端に位置にいると判断し、ｅＩＣＩＣ処理を施した上で、移動局ＵＥに対して、無線リソースを割り当てることができる。
【００６５】
その結果、周波数キャリアＦ２のセルＡ５及びセルＢ１が地理的に重複していて、かつ、周波数キャリアＦ２の「Ｂｅｓｔ  ｃｅｌｌ」であるセルが、周波数キャリアＦ１の「Ｓｅｒｖｉｎｇ  ｃｅｌｌ」が属する無線基地局ｅＮＢに属していない場合でも、ＣＡ通信におけるＳｃｅｌｌとして使用することができるため、高いモビリティ性能を維持しつつ、高速化に対応するためのＣＡ通信を行うことができる。
【００６６】
以上に述べた本実施形態の特徴は、以下のように表現されていてもよい。
【００６７】
本実施形態の第１の特徴は、移動局ＵＥとの間で、周波数キャリアＦ１（第１周波数キャリア）及び周波数キャリアＦ２（第２周波数キャリア）を用いてＣＡ通信（キャリアアグリゲーション通信）を行うことができるように構成されている無線基地局ｅＮＢ＃ａであって、移動局ＵＥから、周波数キャリアＦ２についての「Ｍｅａｓｕｒｅｍｅｎｔ  ｒｅｐｏｒｔ（測定報告）」を受信するように構成されている受信部１１と、周波数キャリアＦ２についての「Ｍｅａｓｕｒｅｍｅｎｔ  ｒｅｐｏｒｔ」において、周波数キャリアＦ２の「Ｂｅｓｔ  ｃｅｌｌ（ベストセル）」として通知されているセル（例えば、セルＢ１）が、無線基地局ｅＮＢ＃ａに属していないと判定された場合、隣接する無線基地局ｅＮＢ＃ｂに対して、所定通知を行うように構成されている送信部１５とを具備することを要旨とする。
【００６８】
本実施形態の第２の特徴は、移動局ＵＥとの間で、周波数キャリアＦ１及び周波数キャリアＦ２を用いてＣＡ通信を行うことができるように構成されている無線基地局ｅＮＢ＃ａであって、移動局ＵＥから、周波数キャリアＦ２についての「Ｍｅａｓｕｒｅｍｅｎｔ  ｒｅｐｏｒｔ」を受信するように構成されている受信部１１と、周波数キャリアＦ２のセル（例えば、セルＡ５）において、移動局ＵＥに対して、無線リソースを割り当てるように構成されている無線リソース割り当て部１２とを具備しており、無線リソース割り当て部１２は、周波数キャリアＦ２についての「Ｍｅａｓｕｒｅｍｅｎｔ  ｒｅｐｏｒｔ」において、周波数キャリアＦ２の「Ｂｅｓｔ  ｃｅｌｌ」として通知されているセル（例えば、セルＢ１）が、無線基地局ｅＮＢ＃ａに属していないと判定された場合、周波数キャリアＦ２において「Ｂｅｓｔ  ｃｅｌｌ」として通知されているセルに隣接する周波数キャリアＦ２のセル（例えば、セルＡ５）において、ｅＩＣＩＣ処理（干渉回避処理）を施した上で、移動局ＵＥに対して、無線リソースを割り当てるように構成されていることを要旨とする。
【００６９】
本実施形態の第２の特徴において、無線リソース割り当て部１２は、上述のｅＩＣＩＣ処理として、時間方向の無線リソースの割り当てを減らすように構成されていてもよい。
【００７０】
本実施形態の第２の特徴において、無線リソース割り当て部１２は、上述のｅＩＣＩＣ処理として、周波数方向の無線リソースの割り当てを減らすように構成されていてもよい。
【００７１】
本実施形態の第２の特徴において、無線リソース割り当て部１２は、無線基地局ｅＮＢ＃ａの識別情報或いは周波数キャリアＦ１のセルの識別情報（例えば、セルａ３）に基づいて、上述の無線リソースを割り当てるように構成されていてもよい。
【００７２】
本実施形態の第２の特徴において、移動局ＵＥに対するハンドオーバ処理を行うように構成されているハンドオーバ制御部１４を具備しており、ハンドオーバ制御部１４は、周波数キャリアＦ２における「Ｍｅａｓｕｒｅｍｅｎｔ  ｒｅｐｏｒｔ」に基づくことなく、周波数キャリアＦ１における「Ｍｅａｓｕｒｅｍｅｎｔ  ｒｅｐｏｒｔ」に基づいて、移動局ＵＥに対するハンドオーバ処理を行うように構成されていてもよい。
【００７３】
本実施形態の第２の特徴において、周波数キャリアＦ２のセルＡ１〜Ａ５は、無線基地局ｅＮＢ＃ａとは異なる無線基地局ｅＮＢ＃Ａ１〜Ａ５に属していてもよい。
【００７４】
なお、上述の無線基地局ｅＮＢの動作は、ハードウェアによって実施されてもよいし、プロセッサによって実行されるソフトウェアモジュールによって実施されてもよいし、両者の組み合わせによって実施されてもよい。
【００７５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ内に設けられていてもよい。また、かかる記憶媒体及びプロセッサは、ディスクリートコンポーネントとして無線基地局ｅＮＢ内に設けられていてもよい。
【００７７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７８】
ｅＮＢ＃ａ、ｅＮＢ＃ｂ…無線基地局
１１…受信部
１２…無線リソース割り当て部
１３…ＣＡ制御部
１４…ハンドオーバ制御部
１５…送信部
【図１】
0006013790.tif 000002
【図２】
0006013790.tif 000003
【図３】
0006013790.tif 000004
【図４】
0006013790.tif 000005
【図５】
0006013790.tif 000006
【図６】
0006013790.tif 000007
【図７】
0006013790.tif 000008